(57)【要約】      （修正有）【課題】切土や盛土いずれの場合において谷折れ、山折れ、溝等の凹凸形状に合わせてシートを固定でき、シート端部と地面との隙間を極力形成せず風の浸入を略完全に防止できるシートの固定方法を提供する。【解決手段】アンカーピン打込用貫通孔を長手方向に適宜間隔で複数個設けた第１パイプ２と、第１パイプ２の外径より大きい内径を有していて同様にアンカーピン打込用貫通孔を長手方向に適宜間隔で複数個設けた第２パイプとを準備し、第１パイプ２を法面等の施工面の適宜位置にアンカーピンを第１パイプ２の貫通孔に打ち込むことにより固定する手段と、この第１パイプ２の上面にシートを張る手段と、このシートを挟むように第１パイプ２外径上部から第２パイプ内径を被せてアンカーピンを第１パイプ２の貫通孔と前記第２パイプの貫通孔に打ち込むことによりシートを固定するようにした．【選択図】図１
2019023416.tif 000002
【特許請求の範囲】
【請求項１】
アンカーピン打込用貫通孔を長手方向に適宜間隔で複数個設けた第１パイプと、前記第１パイプの外径より大きい内径を有していて同様にアンカーピン打込用貫通孔を長手方向に適宜間隔で複数個設けた第２パイプとを準備し、前記第１パイプを法面等の施工面の適宜位置にアンカーピンを前記第１パイプの貫通孔に打ち込むことにより固定する手段と、この第１パイプの上面にシートを張る手段と、このシートを挟むように前記第１パイプ外径上部から第２パイプ内径を被せてアンカーピンを前記第１パイプの貫通孔と前記第２パイプの貫通孔に打ち込むことにより固定するようにしたシート固定方法。
【発明の詳細な説明】
【発明の詳細な説明】
【技術分野】
【０００１】  本発明は、切土や盛土いずれの場合において谷折れ、山折れ、溝等の凹凸形状に合わせてパイプとアンカーピンでシートを固定でき、シート端部と地面との隙間を極力形成せず風の浸入を略完全に防止でき、地面の広さに応じてシートを何枚も簡単に重ね合わせて使用することができるシート固定方法に関するものである。
【従来技術】
【０００２】  特許文献１（特開平０６−２４８６５２）には、「周辺部に所要間隔でハトメ孔２を設けた合成樹脂シート１を法面７に敷設し、頭部４の上面に複数の係止突起５を上向きに突設したペグ３を各ハトメ孔２を通して法面７に打ち込むことにより合成樹脂シート１を止め付け、この合成樹脂シート１の縁片に沿って直列状に並んで打ち込まれた各ペグ３上に重し用の棒状体６を一連に載せ、この棒状体６を各ペグ３の隣接する係止突起５，５間に係合保持するようにし、合成樹脂シートを簡単な作業で、強風時などにおいて周辺がめくり上がらないように確実に押さえて覆工する法面の簡易覆工方法」が開示されている。
【０００３】  しかしながら、特許文献１においては、頭部４、係止突起５，５、ペグ３からなる複雑な構成の係止部材を別途多数準備しなければならず、ペグ３をシート１のハトメ孔２を介して法面に打ち込んでシート１を法面に固定して係止突起５，５に棒状体６をのせて重しをしたとしても、［図２］に示すように打ち込んだペグ３・・・間のシート１と法面の隙間が空くために強風時に風がどうしてもその隙間へ吹き込みシート１はめくり上がってしまう。また、本発明の如く法面の凹凸や水路を形成するように敷設固定することは出来ない。
【０００４】  特許文献２（特開２０１４−１７３３６９）では、「地盤もしくは法面にシートを固定するシート固定方法であって、地盤もしくは法面にシートを広げる工程と、広げたシート端部に棒状材をシート端部と略平行に設置しシートを固定するシート固定方法、前記棒状材を折り曲げたシートで包み込んだ「棒状材・シートからなるユニット」と、「棒状材・シートからなるユニット」を地盤もしくは法面に釘材で止める工程を含むシート固定方法。前記「棒状材・シートからなるユニット」をキャップ材で挟着させた「棒状材・シート・キャップ材からなるユニット」を地盤もしくは法面に釘材で止める工程を含むシート固定方法であって、風などによるシートのめくれが起こらず、かつ簡易に施工できる土木用シート固定方法」が開示されている。
【０００５】  しかしながら、特許文献２においても、強風時コの字型釘材４・・・及び通常釘材を打ち込んだ間隔の棒状材・シートからなるユニット側面と法面との隙間から風が吹きこみ、やはりシートのめくれは発生する。特に、コの字型釘材４・・・及び通常釘材の径が細く打ち込み長さが短いために、一部に風が吹き込むと棒状材・シートからなるユニットが一体であるので全体が吹き飛ばされる。また、棒状材をシートに平行に取り付けたりキャップ材を別途準備しなければならず面倒であり、シートの棒状材のない側は風に対し無防備となる。法面の広い地面に使途を何枚も容易に重ね合わせて使用することは出来ない。
【発明が解決しようとする課題】
【０００６】  本発明においては、簡単な材料で、切土や盛土いずれの場合において谷折れ、山折れ、溝等の凹凸形状に合わせてシートを固定でき、シート端部と地面との隙間を極力形成せず風の浸入を略完全に防止でき、地面の広さに応じてシートを何枚も重ね合わせて使用することができるシートの固定方法が望まれている。
【課題を解決する手段】
【０００７】  請求項１の発明は、アンカーピン打込用貫通孔を長手方向に適宜間隔で複数個設けた第１パイプと、前記第１パイプの外径より大きい内径を有していて同様にアンカーピン打込用貫通孔を長手方向に適宜間隔で複数個設けた第２パイプとを準備し、前記第１パイプを法面等の施工面の適宜位置にアンカーピンを前記第１パイプの貫通孔に打ち込むことにより固定する手段と、この第１パイプの上面にシートを張る手段と、このシートを挟むように前記第１パイプ外径上部から第２パイプ内径を被せてアンカーピンを前記第１パイプの貫通孔と前記第２パイプの貫通孔に打ち込むことにより固定するようにしたシート固定方法を提供するものである。
【０００８】  この発明においては、市販の第１パイプと第２パイプの２本のパイプとアンカーピンのみ簡単な材料で、第１パイプの外径と第２パイプ内径との面でシートを押さえるので、切土や盛土いずれの場合において第１パイプと第２パイプを地形に合わせて切断して、谷折れ、山折れ、溝等の凹凸形状に合わせてシートを固定する。また、第１パイプの外径と第２パイプ内径とでシートを面接触で押さえるので、シート端部と地面との隙間を極力形成せず風の浸入を略完全に防止することができる。また、地面の広さに応じてシートを何枚も重ね合わせて使用することができる。
【先行特許文献】
【０００９】
【特許文献１】特開平０６−２４８６５２号
【特許文献２】特開２０１４−１７３３６９号
【発明を実施するための形態】
【００１０】  本発明の一実施例を図面に基づき以下に説明する。図１は第１パイプ２外周２パイプ３の内周をかぶせる作用説明図であり、アンカーピン打込用貫通孔２ａ・・・を長手方向に適宜間隔５００ｍｍ毎で複数個設けた第１パイプ２の外周に、前記第１パイプ２の外径３８ｍｍより大きい内径４０ｍｍを有していて略半分に切断していて、同様に前記アンカーピン打込用貫通孔２ａ・・・に対応するアンカーピン打込用貫通孔３ａ・・・を長手方向に適宜間隔５００ｍｍで複数個設けた第２パイプ３の内径をかぶせることができるように構成している。
【００１１】  図２−１のシート押え手順に示すように、先ず法面Ｅの適宜位置に第１パイプ２の貫通孔２ａからアンカーピン（図示せず）を法面に打ち込んで第１パイプ２を法面Ｅに固定する。次に第１パイプ２の上部にシート１をかぶせ、その上方からシート１を挟むように前記第１パイプ２の外径上部へ第２パイプ３内径を被せ、アンカーピン４を前記第１パイプ２の貫通孔２ａと前記第２パイプ３の貫通孔３ａとを通して法面Ｅに打ち込むことによりシート１を第１パイプ２外周面と第２パイプ３内周面とにシート１を面接触させて固定するようにしている。これにより、図２−２に示すように、法面Ｅとシート１との間を開放しないようにしている。即ち、打ち込んだアンカーピン４・・・間のシート１と法面Ｅとの間は長手方向の第１パイプ２が介在しており、法面Ｅとシート１と隙間Ｓは第１パイプ２両側に解放されず第１パイプ２により埋められている。尚、図示しないが、第２パイプ３のアンカーピン４打ち込み部に接着性ゴムテープ又はビニールテープを貼って水の浸入を防止することもできる。
【００１２】    図３は前記第１パイプ２と第２パイプ３の現物の図面代用写真である市販の塩化ビニール製のパイプで、前述のようにそれぞれアンカーピン打込用貫通孔２ａ・・・、３ａ・・・を設けている。第２パイプ３のパイプはやや半分より大きく（外週の約７５％で）切断している。即ち、図１に示すように第２パイプ３底部の開放部幅３ｂは、第１パイプ２の外径２ｂ３８ｍｍに対して３５ｍｍとやや小さくしていて、嵌合時塩化ビニールパイプの弾性を利用して第２パイプ３の開放部幅３ｂが第１パイプ２の外周に若干開放してから締まりきっちり強固にシート１を固定するようにしている。
【００１３】  図４に示すように、第１パイプ２をアンカーピン４・・・により法面Ｅに固定した上部に、シート１を敷く。そして、図５に示すように、敷いたシート１の第１パイプ２の上にシート１を挟むように固定した第１パイプ２の外径上部へ第２パイプ３内径を被せ、アンカーピン４を前記第１パイプ２の貫通孔２ａ（法面に固定したアンカーピンの刺さっている以外の貫通孔２ａ）と前記第２パイプ３の貫通孔３ａとを通して法面Ｅに打ち込むことによりシート１を第１パイプ２外周面と第２パイプ３内周面とにシート１を面接触させて固定するようにしている。
【００１４】  図６−１、図６−２、図７−１、図７−２は図４、図５の他の実施例であり、法面に形成する角型水路（図６−１、図６−２）及び逆三角型水路（図７−１、図７−２）に敷設したシート１Ａ及びシート１Ｂに、これら各角部にシート１Ａ、１Ｂを挟むように第１パイプ２Ｂと第１パイプ２Ｃ（図示しない）及び第１パイプ３Ｂと第１パイプ３Ｃ（図示しない）をアンカーピンにより固定することができる。これにより、あらゆる形状の水路等の形状に合わせてシートを敷設固定することができる。
【００１５】  図８はシート１Ｘとシート１Ｙとを法面上に繋部ＸＹでつなぎ合わせたものである。即ち、前記と同様に、先ず、法面のシート１Ｘとシート１Ｙとを固定する全域に一定間隔に併設して第１パイプ２Ｄ・・・（薄い色はシート下の法面側を示す）をアンカーピン４Ｄ・・・により固定する。そして、これら第１パイプ２Ｄ・・・の上部にシート１Ｘとシート１Ｙをかぶせ、その上方からシート１Ｘとシート１Ｙを挟むようにパイプ３Ｄを被せ、アンカーピン４Ｄ・・・によりシート１Ｘとシート１Ｙを法面に固定する。
そして、シート１Ｘとシート１Ｙの繋部ＸＹに第１パイプ２Ｄ−１（薄い色はシート下の法面側を示す）を前記第１パイプ２Ｄ・・・に併設してアンカーピン４Ｄ・・・により固定する。そこへ、第１パイプ２Ｄ−１上部ヘシート１Ｘとシート１Ｙの両端縁を重ねあわせる。そして、その上方から重ね合わせたシート１Ｘとシート１Ｙを挟むように第１パイプ２Ｄ−１の外径上部へ第２パイプ３Ｄ−１内径を被せ、アンカーピン４Ｄ・・・によりシート１Ｘとシート１Ｙとの側縁を繋ぎ合わせて固定する。
【発明の効果】
【００１６】  本発明においては、市販の塩化ビニル等の２本のパイプとアンカーピンのみの簡単な材料で、第１パイプの外径と第２パイプ内径との面でシートを押さえる様に固定するので、切土や盛土いずれの場合において第１パイプと第２パイプを地形に合わせて切断して、谷折れ、山折れ、溝等の凹凸形状に合わせてシートを固定できる。また、第１パイプの外径と第２パイプ内径とでシートを面接触で押さえるので、シート端部と地面との隙間を極力生せず風の浸入を略完全に防止することができる。また、地面の広さに応じてシートを何枚も重ね合わせて使用することができる。
【図面の簡単な説明】
【００１７】
【図１】第１パイプに第２パイプをかぶせる状態を示す説明図
【図２−１】法面に第１パイプと第２パイプとでシート挟むようにアンカーピンで固定する順序を示す説明図
【図２−２】図２−１によりシートを法面に固定した図
【図３】第１パイプと第２パイプを示す図面代用写真
【図４】法面にアンカーピンで固定した第１パイプにシートをかぶせる工事現場の図面代用写真
【図５】第１パイプの上部にシートを挟むように第２パイプをアンカーピンで固定する工事現場の図面代用写真
【図６−１】水路に凹状溝にシートを固定した平面斜視図
【図６−２】図６−１の縦断面図
【図７−１】水路に逆三角溝にシートを固定した平面斜視図
【図７−２】図７−１の縦断面図
【図８】２枚のシートを繋ぎ合わせて法面に固定した平面図
【符号の説明】  １、１Ｘ、１Ｙ                                  シート
２、  ２−１、２Ａ、２Ｂ、２Ｃ、２Ｄ、２Ｄ−１  第１パイプ
２ａ・・・                                      第１パイプのアンカーピン貫通孔
３、  ３−１、３Ａ、３Ｂ、３Ｃ、３Ｄ、３Ｄ−１  第３パイプ
３ａ・・・                                      第２パイプのアンカーピン貫通孔
４                                              アンカーピン
Ｅ                                              法面
ＸＹ                                            繋部
【図１】
2019023416.tif 000003
【図２】
2019023416.tif 000004
【図３】
2019023416.tif 000005
【図４】
2019023416.tif 000006
【図５】
2019023416.tif 000007
【図６−１】
2019023416.tif 000008
【図６−２】
2019023416.tif 000009
【図７−１】
2019023416.tif 000010
【図７−２】
2019023416.tif 000011
【図８】
2019023416.tif 000012